(57)【特許請求の範囲】
【請求項１】
速達、通常何れかの取扱種別を選択して使用することが可能な配送用シールであって、
前記配送用シールは、剥離基材と剥離処理面に粘着剤層を介して貼り合わされた取扱店控とお客様控からなる紙基材で構成され、
前記取扱店控には、紙基材を貫通する長方形状の閉じた切込みによって配送物貼付シール部が形成され、前記配送物貼付シール部は、通常扱指定片、中央紙片、速達扱指定片が配送物貼付シール部の短辺に平行な二つの折り畳み予定部を介して連接した状態で形成され、
配送物貼付シール部の両短辺の切込みを挟んだ速達扱指定片と配送物貼付シール部の外側取扱店控部、および、通常扱指定片と配送物貼付シール部の外側取扱店控部にそれぞれ速達、通常の取扱種別文字が印刷され、さらに前記切込みを跨ぐように配送物情報表示文字及び当該配送物情報表示文字を囲むマークガイドが印刷されていること
を特徴とする配送用シール。
【請求項２】
請求項１に記載の配送用シールの使用方法であって、
速達、通常何れかの取扱種別を選択し、マークガイドに沿ってマークを記載し、配送物貼付シール部を取扱店控から剥ぎ取り、速達扱指定片および通常扱指定片の内、前記マークが記載されていない紙片を折り畳み予定部で粘着剤が形成された側に折り畳み、選択した取扱種別の紙片と中央紙片が表出するように粘着剤面で配送物に貼付し、取扱店控とお客様控を切り離し、お客様控を客に渡し、取扱店控を店に残すことを特徴とする配送用シールの使用方法。
【請求項３】
剥離基材の剥離処理面上に粘着剤層を介して紙基材が貼り合わされた積層体からなり、前記紙基材表出面に表示された取扱種別表示及び配送情報を選択することによって速達、通常何れにも使用することが可能な配送用シールであって、
前記紙基材には配送物に貼付される矩形状の貼付シール部が前記紙基材を貫通する貼付シール部周縁切込みによって形成され、
前記貼付シール部には主シール部とその両脇の副シール部に分断する二本の折り畳み予定部が貼付シール部の短辺に平行に形成され、
前記主シール部には機械読み取り可能な管理コードが、貼付シール部の外側の所定部には前記管理コードに紐付けされた問い合わせ情報が印刷され、
貼付シール部周縁切込みの両短辺の内側及び外側の何れか、又は両方に取扱種別表示が印刷され、さらに、前記短辺を跨ぐように配送情報及び当該配送情報を囲むマークガイドが印刷され、
貼付シール部が剥がされた配送用シールは客控となること
を特徴とする配送用シール。
【請求項４】
請求項３に記載の配送用シールの使用方法であって、
取扱種別に対応した配送情報を選択し、マークガイドに沿ってマークを付し、貼付シール部を配送用シールから剥がし取り、前記マークが付されていない側の折り畳み予定部で副シール部を粘着剤が形成された側に折り畳み、貼付シール部を粘着剤面で配送物に貼付し、貼付シール部が剥がされた配送用シールを客控として客に渡すこと
を特徴とする配送用シールの使用方法。
【請求項５】
請求項４に記載の配送用シールの使用方法において、
さらに、客から配送物の配送状況を問われたときに、客が提示した問い合わせ情報によって管理コードを検索し、配送担当が配送物を投函する直前に貼付シール部の管理コードを携帯端末によって読み取り登録した管理コードが存在すれば問い合わせがあった配送物は配送済みとすること
を特徴とする配送用シールの使用方法。
【請求項６】
剥離基材と、前記剥離基材上に再貼付可能な粘着材により積層され分離線により分離された貼付シール部及び周辺シール部を有するシール部と、を備えた識別シールであって、
前記貼付シール部は、
主シール部と、
前記主シール部の周辺の一部に第１折り込み線を介して連設され、第１識別情報を有する第１識別部と、
前記主シール部の周辺の第１識別部とは異なる一部に第２折り込み線を介して連設され、第２識別情報を有する第２識別部とを備え、
前記剥離基材から剥離した状態で、前記第１識別部及び前記第２識別部のうち一方を、前記粘着材側に折り込み線で折り込んで、折り込んだ側の識別情報を目視できない状態で被着体に再貼付されること、
を特徴とする識別シール。
【請求項７】
請求項６に記載の識別シールにおいて、
前記第１識別部及び前記第１識別部外側の前記周辺シール部に前記分離線を跨いで連続して設けられた第１マークガイドと、
前記第２識別部及び前記第２識別部外側の前記周辺シール部に前記分離線を跨いで連続して設けられた第２マークガイドとを備え、
前記周辺シール部は、
前記第１識別部外側に設けられ、前記第１識別情報に対応した情報である第１周辺情報と、
前記第２識別部外側に設けられ、前記第２識別情報に対応した情報である第２周辺情報とを備えること、
を特徴とする識別シール。
【請求項８】
請求項７に記載の識別シールにおいて、
前記第１マークガイドは、複数の種類が設けられ、
前記第２マークガイドは、複数の種類が設けられていること、
を特徴とする識別シール。
【請求項９】
請求項６から請求項８までのいずれかに記載の識別シールにおいて、
前記主シール部の一部を前記第１折り込み線よりも外側に突出するように設けられ、前記第１識別部との間を切り込み線で分離された第１耳部と、
前記主シール部の一部を前記第２折り込み線よりも外側に突出するように設けられ、前記第２識別部との間を切り込み線で分離された第２耳部とを備え、
前記再貼付される状態で、折り込まれた側の耳部は、折り込まれた側の折り込み線よりも外側に突出した状態で被着体に再貼付されること、
を特徴とする識別シール。
【請求項１０】
請求項６から請求項９までのいずれかに記載の識別シールにおいて、
前記主シール部、前記周辺シール部にそれぞれ設けられた管理情報を備えること、
を特徴とする識別シール。
【請求項１１】
請求項６から請求項１０までのいずれかに記載の識別シールにおいて、
前記識別シールは、配送用シールであり、
前記貼付シール部は、配送物である被着体に再貼付され、
前記周辺シール部は、配送元の控えであること、
を特徴とする識別シール。
【請求項１２】
請求項６から請求項９までのいずれかに記載の識別シールにおいて、
前記貼付シール部、前記周辺シール部にそれぞれ設けられた管理情報を備え、
前記識別シールは、配送用シールであり、
前記貼付シール部は、配送物である被着体に再貼付され、
前記周辺シール部の前記管理情報が設けられた部分は、
分離線により前記周辺シール部から分離可能であり、
発送元の控え片に再貼付可能であること、
を特徴とする識別シール。
【請求項１３】
請求項６から請求項９までのいずれかに記載の識別シールにおいて、
前記識別シールから分離可能に設けられた分離片を備えること、
を特徴とする識別シール。
【請求項１４】
請求項１３に記載の識別シールにおいて、
前記主シール部、前記周辺シール部、前記分離片にそれぞれ設けられた管理情報を備えること、
を特徴とする識別シール。
【請求項１５】
請求項１３又は請求項１４に記載の識別シールにおいて、
前記識別シールは、配送用シールであり、
前記貼付シール部は、配送物である被着体に再貼付され、
前記周辺シール部、前記分離片は、配送元の控えであること、
を特徴とする識別シール。
【請求項１６】
請求項６から請求項１２までのいずれかに記載の識別シールの使用方法であって、
前記剥離基材及び前記周辺シール部から、前記貼付シール部を剥離する工程と、
剥離した前記貼付シール部の前記第１識別部及び前記第２識別部のうち一方を、前記粘着材側に折り込み線で折り込む工程と、
前記貼付シール部を、折り込んだ側の識別情報を目視できないように、被着体に再貼付する工程とを備えること、
を特徴とする配送用シールの使用方法。
【請求項１７】
請求項１３から請求項１５までのいずれかに記載の識別シールの使用方法であって、
前記分離片を分離する工程と、
前記剥離基材及び前記周辺シール部から、前記貼付シール部を剥離する工程と、
剥離した前記貼付シール部の前記第１識別部及び前記第２識別部のうち一方を、前記粘着材側に折り込み線で折り込む工程と、
前記貼付シール部を、折り込んだ側の識別情報を目視できないように、被着体に再貼付する工程とを備えること、
を特徴とする配送用シールの使用方法。
【発明の詳細な説明】
【技術分野】
【０００１】
本発明は、配送用シール、配送用シールの使用方法、識別シール、識別シールの使用方法に関するものである。
【背景技術】
【０００２】
近年、被着体である冊子状の印刷物その他の軽量物を対象とする「メール便」と呼ばれる宅配サービスが多く利用されている。
この「メール便」は、配送業者が送り主から配送物を預かり、集荷した配送物を配達地域別に仕分けして発送し、受取人の郵便受け等に配送物を投函して配送を完了するもので、配送物が投函可能な大きさのものに制限されている。
このサービスでは、従来から実施されている宅配便と異なり、配送物を受取人に渡す際に受領印や、サインを貰う、いわゆる判取りは行わない。
【０００３】
通常の宅配システムでは、伝票に記載された番号で配送物の配送状況を管理しているが、「メール便」でも、管理番号のみが表示されたラベルを配送伝票とともに配送物に貼付し、配送状況の管理に使用している。
そこで、配送物に届け先（受取人）の住所のみを記載し、併せて機械読取り用のコードだけが印刷されたラベルを貼付する配送システムが提供されている。
このシステムにおいて、受取人の確認は前述の機械読取り用のコードを携帯端末で読取ることによって、コードに紐つけされた受取人名を携帯端末の表示部に表示させて確認するというものである（例えば、特許文献１参照）。
【先行技術文献】
【特許文献】
【０００４】
【特許文献１】特開２００１−２７２９１４号公報
【発明の概要】
【発明が解決しようとする課題】
【０００５】
また、近年では、通常条件で送付される通常メール便のほかに、速達扱いの速達メール便等、複数の種別が出現している。
そこで本発明は、１つのシールであっても、複数の種別に対応して使用することができる配送用シール、配送用シールの使用方法、識別シール、識別シールの使用方法を提供することを目的とするものである。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
・第１の発明は、速達、通常何れかの取扱種別を選択して使用することが可能な配送用シールであって、前記配送用シールは、剥離基材と剥離処理面に粘着剤層を介して貼り合わされた取扱店控とお客様控からなる紙基材で構成され、前記取扱店控には、紙基材を貫通する長方形状の閉じた切込みによって配送物貼付シール部が形成され、前記配送物貼付シール部は、通常扱指定片、中央紙片、速達扱指定片が配送物貼付シール部の短辺に平行な二つの折り畳み予定部を介して連接した状態で形成され、配送物貼付シール部の両短辺の切込みを挟んだ速達扱指定片と配送物貼付シール部の外側取扱店控部、および、通常扱指定片と配送物貼付シール部の外側取扱店控部にそれぞれ速達、通常の取扱種別文字が印刷され、さらに前記切込みを跨ぐように配送物情報表示文字及び当該配送物情報表示文字を囲むマークガイドが印刷されていることを特徴とする配送用シールである。
・第２の発明は、第１の発明の配送用シールの使用方法であって、速達、通常何れかの取扱種別を選択し、マークガイドに沿ってマークを記載し、配送物貼付シール部を取扱店控から剥ぎ取り、速達扱指定片および通常扱指定片の内、前記マークが記載されていない紙片を折り畳み予定部で粘着剤が形成された側に折り畳み、選択した取扱種別の紙片と中央紙片が表出するように粘着剤面で配送物に貼付し、取扱店控とお客様控を切り離し、お客様控を客に渡し、取扱店控を店に残すことを特徴とする配送用シールの使用方法である。
【０００８】
・第３の発明は、剥離基材の剥離処理面上に粘着剤層を介して紙基材が貼り合わされた積層体からなり、前記紙基材表出面に表示された取扱種別表示及び配送情報を選択することによって速達、通常何れにも使用することが可能な配送用シールであって、前記紙基材には配送物に貼付される矩形状の貼付シール部が前記紙基材を貫通する貼付シール部周縁切込みによって形成され、前記貼付シール部には主シール部とその両脇の副シール部に分断する二本の折り畳み予定部が貼付シール部の短辺に平行に形成され、前記主シール部には機械読み取り可能な管理コードが、貼付シール部の外側の所定部には前記管理コードに紐付けされた問い合わせ情報が印刷され、貼付シール部周縁切込みの両短辺の内側及び外側の何れか、又は両方に取扱種別表示が印刷され、さらに、前記短辺を跨ぐように配送情報及び当該配送情報を囲むマークガイドが印刷され、貼付シール部が剥がされた配送用シールは客控となることを特徴とする配送用シールである。
・第４の発明は、第３の発明の配送用シールの使用方法であって、取扱種別に対応した配送情報を選択し、マークガイドに沿ってマークを付し、貼付シール部を配送用シールから剥がし取り、前記マークが付されていない側の折り畳み予定部で副シール部を粘着剤が形成された側に折り畳み、貼付シール部を粘着剤面で配送物に貼付し、貼付シール部が剥がされた配送用シールを客控として客に渡すことを特徴とする配送用シールの使用方法である。
・第５の発明は、第４の発明の配送用シールの使用方法において、さらに、客から配送物の配送状況を問われたときに、客が提示した問い合わせ情報によって管理コードを検索し、配送担当が配送物を投函する直前に貼付シール部の管理コードを携帯端末によって読み取り登録した管理コードが存在すれば問い合わせがあった配送物は配送済みとすることを特徴とする配送用シールの使用方法である。
【０００９】
・第６の発明は、剥離基材（２，２０２）と、前記剥離基材上に再貼付可能な粘着材により積層され分離線により分離された貼付シール部（２０，２２０，３２０）及び周辺シール部（１０，２１０，３１０）を有するシール部（３）と、を備えた識別シールであって、前記貼付シール部は、主シール部（３０，２３０，３３０）と、前記主シール部の周辺の一部に第１折り込み線（４１，２４１，３４１）を介して連設され、第１識別情報（４２，２４２，３４２）を有する第１識別部（４０，２４０，３４０）と、前記主シール部の周辺の第１識別部とは異なる一部に第２折り込み線（５１，２５１，３４１）を介して連設され、第２識別情報（５２，２５２，３５２）を有する第２識別部（５０，２５０，３５０）とを備え、前記剥離基材から剥離した状態で、前記第１識別部及び前記第２識別部のうち一方を、前記粘着材側に折り込み線で折り込んで、折り込んだ側の識別情報を目視できない状態で被着体（７０，２７０，３７０）に再貼付されること、を特徴とする識別シールである。
・第７の発明は、第６の発明の識別シールにおいて、前記第１識別部（４０，２４０，３４０）及び前記第１識別部外側の前記周辺シール部（１０，２１０，３１０）に前記分離線を跨いで連続して設けられた第１マークガイド（４４，２４４，３４４）と、前記第２識別部（５０，２５０，３５０）及び前記第２識別部外側の前記周辺シール部に前記分離線を跨いで連続して設けられた第２マークガイド（５４，２５４，３５４）とを備え、前記周辺シール部は、前記第１識別部（４０，２４０，３４０）外側に設けられ、前記第１識別情報（４２，２４２，３４２）に対応した情報である第１周辺情報（４３，２４３，３４３）と、前記第２識別部（４０，２４０，３４０）外側に設けられ、前記第２識別情報（５２，２５２，３５２）に対応した情報である第２周辺情報（５３，２５３，３５３）とを備えること、を特徴とする識別シールである。
・第８の発明は、第７の発明の識別シールにおいて、前記第１マークガイド（４４，２４４，３４４）は、複数の種類が設けられ、前記第２マークガイド（５４，２５４，３５４）は、複数の種類が設けられていること、を特徴とする識別シールである。
・第９の発明は、第６から第８までのいずれかの発明の識別シールにおいて、前記主シール部（３３０）の一部を前記第１折り込み線（３４１）よりも外側に突出するように設けられ、前記第１識別部（３４０）との間を切り込み線（３４５ａ）で分離された第１耳部（３４５）と、前記主シール部の一部を前記第２折り込み線（３５１）よりも外側に突出するように設けられ、前記第２識別部（３５０）との間を切り込み線（３５５ａ）で分離された第２耳部（３５５）とを備え、前記再貼付される状態で、折り込まれた側の耳部は、折り込まれた側の折り込み線よりも外側に突出した状態で被着体（３７０）に再貼付されること、を特徴とする識別シールである。
・第１０の発明は、第６から第９までのいずれかの発明の識別シールにおいて、前記主シール部（３０，２３０，３３０）、前記周辺シール部（１０，２１０，３１０）にそれぞれ設けられた管理情報（６１，６２，６３，２６１，２６２，２６３，３６１，３６２，３６３）を備えること、を特徴とする識別シールである。
・第１１の発明は、第６から第１０までのいずれかの発明の識別シールにおいて、前記識別シール（１，２０１，３０１）は、配送用シールであり、前記貼付シール部（２０，２２０，３２０）は、配送物である被着体（７０，２７０，３７０）に再貼付され、前記周辺シール部（１０，２１０，３１０）は、配送元の控えであること、を特徴とする識別シールである。
・第１２の発明は、第６から第９までのいずれかの発明の識別シールにおいて、前記貼付シール部、前記周辺シール部（２１０，３１０）にそれぞれ設けられた管理情報（６１，６２，６３，２６１，２６２，２６３，３６１，３６２，３６３）を備え、前記識別シール（２０１，３０１）は、配送用シールであり、前記貼付シール部は、配送物である被着体（２７０，３７０）に再貼付され、前記周辺シール部の前記管理情報が設けられた部分（２６２ａ，３６２ａ）は、分離線（２６２ｂ，３６２ｂ）により前記周辺シール部から分離可能であり、発送元の控え片に再貼付可能であること、を特徴とする識別シールである。
【００１０】
・第１３の発明は、第６から第９までのいずれかの発明の識別シールにおいて、前記識別シール（１）から分離可能に設けられた分離片（５）を備えること、を特徴とする識別シールである。
・第１４の発明は、第１３の発明の識別シールにおいて、前記主シール部（３０）部、前記周辺シール部（１０）、前記分離片（５）にそれぞれ設けられた管理情報（６１，６２，６３）を備えること、を特徴とする識別シールである。
・第１５の発明は、第１３又は第１４の発明の識別シールにおいて、前記識別シール（１）は、配送用シールであり、前記貼付シール部（１０）は、配送物である被着体（７０）に再貼付され、前記周辺シール部（１０）、前記分離片（５）は、配送元の控えであること、を特徴とする識別シールである。
【００１１】
・第１６の発明は、第６から第１２までのいずれかの発明の識別シールの使用方法であって、前記剥離基材（２，２０２）及び前記周辺シール部（１０，２１０，３１０）から、前記貼付シール部（２０，２２０，３２０）を剥離する工程と、剥離した前記貼付シール部の前記第１識別部（４０，２４０，３４０）及び前記第２識別部（５０，２５０，３５０）のうち一方を、前記粘着材側に折り込み線で折り込む工程と、前記貼付シール部を、折り込んだ側の識別情報を目視できないように、被着体（７０，２７０，３７０）に再貼付する工程とを備えること、を特徴とする配送用シールの使用方法である。
【００１２】
・第１７の発明は、第１３から第１５までのいずれかの発明の識別シールの使用方法であって、前記分離片（５）を分離する工程と、前記剥離基材（２）及び前記周辺シール部（１０）から、前記貼付シール部（２０）を剥離する工程と、剥離した前記貼付シール部の前記第１識別部（４０）及び前記第２識別部（５０）のうち一方を、前記粘着材側に折り込み線で折り込む工程と、前記貼付シール部を、折り込んだ側の識別情報を目視できないように、被着体（７０，）に再貼付する工程とを備えること、を特徴とする配送用シールの使用方法である。
【発明の効果】
【００１３】
本発明によれば、１つのシールであっても、複数の種別に対応して使用することができる配送用シール及びその使用方法を提供できる。
また、本発明は、被着体の識別に好適な識別シート、識別方法を提供できる。
【図面の簡単な説明】
【００１４】
【図１】第１実施形態の配送用シールの一実施形態について説明するための図である。
【図２】図１の配送用シールの層構成について説明するための図である。
【図３】第１実施形態の速達メール便に使用される取扱店控の一例について説明するための図である。
【図４】第１実施形態の配送用シールの使用方法の一例について説明するための図である。
【図５】第１実施形態の配送物に速達メール便扱いの配送物貼付シール部が貼付された配送用シールの使用方法の一例について説明するための図である。
【図６】第２実施形態の配送用シールの一実施形態について説明するための図である。
【図７】第２実施形態の配送用シールの使用方法の一例について説明するための図である。
【図８】第２実施形態の配送用シールから貼付シール部が剥がされた客控と配送物に貼付される貼付シールについて説明するための図である。
【図９】第２実施形態の貼付シール部が貼付された配送物について説明するための図である。
【図１０】第３実施形態の配送用シール３０１を示す図である。
【図１１】第３実施形態の配送用シール３０１の使用方法を説明する図である。
【発明を実施するための形態】
【００１５】
以下、図面等を参照して、本発明の実施形態について説明する。
（第１実施形態）
図１及び図２を参照して、本発明の配送用シールの第１実施形態について説明する。
第１実施形態の配送用シール１（識別シール）は、剥離基材２と、その剥離処理面に粘着剤層（図示しないが、図２の紙基材３の裏側に形成されている）を介して紙基材３（識別基材）が貼り合わされた二層構造になっている。この粘着剤層は、再貼付可能な種類である。
【００１６】
配送用シール１は、客控５（分離片）、取扱店控１０（周辺シール部）、配送物貼付シール部２０を備える。
客控５、取扱店控１０は、切り離し予定部６で連接されている。
取扱店控１０、配送物貼付シール部２０は、紙基材３を貫通する長方形状の閉じた切込み１１（分離線）によって分離されている。配送物貼付シール部２０は、剥離基材２及び取扱店控１０から分離して剥離できる。
【００１７】
配送物貼付シール部２０は、中央紙片３０（主シール部）、速達扱指定片４０（第１識別部）、通常扱指定片５０（第２識別部）を備える。
中央紙片３０は、配送物貼付シール部２０の中央に配置されている。
中央紙片３０は、取扱店で取扱店控１０をファイルするためのファイル孔１０ａが剥離基材２と紙基材３を貫通する状態で形成されている。
速達扱指定片４０及び通常扱指定片５０は、配送物貼付シール部２０の両脇に配置されており、配送物貼付シール部２０の短辺に平行な二つの折り畳み予定部４１，５１を介して、配送物貼付シール部２０に連接した状態で形成されている。
【００１８】
配送物貼付シール部２０の両短辺の切込み（以下、単に短辺切込みという）を挟んだ速達扱指定片４０と配送物貼付シール部２０の外側取扱店控部、および、通常扱指定片５０と配送物貼付シール部２０の外側取扱店控部にそれぞれ、「速達」、「通常」の取扱種別文字が印刷されている。
さらに短辺切込みを跨ぐように、「１５０  Ａ４」、「３００  Ｂ４」、「Ａ４  ２３０」、「Ｂ４  ３５０」などの配送物情報表示文字、及び、当該配送物情報表示文字を囲むマークガイドが印刷されている。
【００１９】
すなわち、配送用シール１の構成は、以下の通りである。
速達扱指定片４０（第１識別部）は、中央紙片３０の右側辺（周辺の一部）に折り畳み予定部４１（第１折り込み線）を介して連設されている。
「速達」の取扱種別文字４２（第１識別情報）は、速達扱指定片４０に印刷されている。
一方、「速達」の取扱種別文字４３（第１周辺識別情報）は、取扱店控１０のうち速達扱指定片４０の外側の領域に印刷されている。このように、取扱種別文字４２，４３は、互いに対応する情報を示す。
マークガイド４４（第１マークガイド）は、速達扱指定片４０及び速達扱指定片４０の外側の取扱店控１０に、切込み１１を跨いで連続して設けられている。マークガイド４４は、「Ａ４  ２３０」、「Ｂ４  ３５０」の２種類が設けられている。
【００２０】
同様に、通常扱指定片５０（第２識別部）は、中央紙片３０の左側辺（周辺の一部）に折り畳み予定部５１（第２折り込み線）を介して連設されている。
「通常」の取扱種別文字５２（第２識別情報）は、通常扱指定片５０に印刷されている。
一方、「通常」の取扱種別文字５３（第２周辺識別情報）は、取扱店控１０のうち通常扱指定片５０の外側の領域に印刷されている。このように、取扱種別文字５２，５３は、互いに対応する情報を示す。
マークガイド５４（第２マークガイド）は、通常扱指定片５０及び通常扱指定片５０の外側の取扱店控１０に、切込み１１を跨いで連続して設けられている。マークガイド５４は、「１５０  Ａ４」、「３００  Ｂ４」の２種類が設けられている。
【００２１】
客控５、取扱店控１０、配送物貼付シール部２０の中央紙片３０は、同一の番号（管理情報）が付された、お問い合せ番号６１、管理コード６２、管理コード６３を備える。
取扱店控１０のお問い合せ番号６１、客控５の管理コード６２には、番号のみが印刷されている。
中央紙片３０には、番号に加えて、その番号を示すバーコードが付されている。バーコードは、取扱店が配送物の荷受のためポスレジスターで読み込んだり、配送担当者が配送管理のため携帯端末で読み込むために利用されたりする。
【００２２】
取扱店では、配送物の配送依頼があったときに、まず、配送伝票（図示せず）に配送物の受取人の住所氏名と、依頼主の住所、氏名などを記載してもらい配送物に貼付する。
次に、通常、速達何れの扱いで配送するか依頼主に選択してもらい、配送用シール１の取扱店控１０に印刷されたマークガイドに沿ってマークを記載し、配送物貼付シール部２０を取扱店控１０から剥ぎ取り、通常扱指定片５０および速達扱指定片４０の内、マークが記載されていない紙片を、折り畳み予定部４１又は折り畳み予定部５１で粘着剤が形成された側に折り畳み、選択した取扱種別の紙片と中央紙片３０が表出するように粘着剤面で配送物に貼付し、お客様控切り離し予定部６で取扱店控１０と、客控５を切り離し、客控５を客に渡し、取扱店控１０を店に残す。
【００２３】
依頼主は、配送物の配送状況を確認したいときに、配送伝票控等に印刷された配送センターに電話し、このお問い合せ番号を取扱店側に伝え、配送物の所在を確認する。
お問い合せ番号の形態、桁数等は、図１、２に表示された形態に拘るものではないが、取扱店控１０に印刷された管理コードと同一でなければならない。
【００２４】
図１、図３を参照して、第１実施形態の速達メール便に使用される取扱店控１０の一例について説明する。
配送用シール１は、剥離基材２のワックスやシリコンなどを塗布し、剥離基材２の剥離面を強化した剥離処理面に粘着剤層を介して取扱店控１０と客控５がお客様控切り離し予定部６で連接された紙基材が貼り合わされた二層構造になっている。
お客様控切り離し予定部６は切り易いように、例えば、ミシン目状の切込みや、筋押しによる筋、また、単に印刷によって折り畳み部を表示してもよい。
取扱店控１０には、紙基材を貫通する長方形状の閉じた切込み１１によって配送物貼付シール部２０が形成され、配送物貼付シール部２０は、配送物貼付シール部２０の短辺に平行な二つの折り畳み予定部４１，５１によって、図の左から通常扱指定片５０、中央紙片３０、速達扱指定片４０に分断している。
【００２５】
「速達」、「通常」の取扱種別文字４２，５２は、速達扱指定片４０及び通常扱指定片５０に印刷されている。
「速達」、「通常」の取扱種別文字４３，５３は、外側取扱店控部１０のうち短辺の切込み１１の両側の領域に印刷されている。
マークガイド４４，５４は、「１５０  Ａ４」、「３００  Ｂ４」、「Ａ４  ２３０」、「Ｂ４  ３５０」などの配送物の配達料金、大きさを示す配送物情報表示文字を囲むとともに、短辺切込みを跨ぐように印刷されている。
【００２６】
（使用方法）
図３から図５を参照して、第１実施形態の配送用シールの使用方法の一例について説明する。
図３に示すように、配送物７０の配送依頼を受けた取扱店では、依頼主に通常、速達何れの扱いで配送するか選択してもらう。
ここでは、配送物７０を「速達」で送付し、かつ、配送物７０のサイズが「Ａ４」である例を説明する。
【００２７】
取扱店の担当（作業者）は、「速達」に対応したマークガイド４４を選択し、さらに、マークガイド４４のうち「Ａ４  ２３０」の方を選択して、これに沿ってマーク４４ａを記載する。
取扱店の担当は、配送物貼付シール部２０を取扱店控１０から剥ぎ取って配送物７０に貼付し、お客様控切り離し予定部６で客控５を切り離して分離し、依頼主に渡す。
なお、依頼主は、配送物７０の配送状況を確認したいときには、客控５に印刷されたお問い合せ番号６１の番号を取扱店側に伝え、配送物７０の所在を確認することができる。
そのために、客控５のお問い合せ番号６１の番号は、取扱店控１０に印刷された管理コード６２の番号、及び配送物貼付シール部２０の中央紙片３０に印刷されている光学読取用の管理コード６３の番号と同一でなければならない。
【００２８】
図４ｂに示すように、取扱店控１０及び剥離基材２から配送物貼付シール部２０を剥がし分離した後、図４ｃに示すように、速達扱指定片４０及び通常扱指定片５０のうち通常扱指定片５０を、折り畳み予定部５１を折り込み線として、粘着剤が形成された側に折り畳む（折り込む）。この場合、速達扱指定片４０には、マーク４４ａの半分が存在するので、担当は、これを目印に折り込まない方の片を確認でき、誤作業を抑制できる。
【００２９】
以上の作業により、配送物貼付シール部２０を配送物７０に再貼付した状態では（図５参照）、折り込んだ側の通常扱指定片５０の「通常」の取扱種別文字５２は、目視できない状態になる。かつ、「速達」の取扱種別文字４２が表示された速達扱指定片４０と中央紙片３０は、表出する状態になる。
なお、折り畳み予定部４１，５１は、折り畳み易いように、例えば、ミシン目状の切込みを施しても、筋押しによって筋を形成しても、単に印刷によって折り畳み部を表示してもよい。
【００３０】
このように、配送用シールは、「通常」、「速達」を選択して、配送物７０の識別に利用できる。これにより、「通常」、「速達」用それぞれにシールを用意する必要がなく、シールの在庫管理が容易である。また、「通常」、「速達」用にそれぞれバーコードを発行する必要がないので、バーコードの番号を破棄することがなく、バーコードを有効利用できる。さらに、取扱店の担当は、配送物７０の「通常」、「速達」に応じて速達扱指定片４０及び通常扱指定片５０の一方を折り畳めばよく、作業が簡単である。
【００３１】
なお、中央紙片３０裏面の粘着材の一部は、通常扱指定片５０に覆われてしまうので、配送物７０に粘着しない。このため、通常扱指定片５０が中央紙片３０に比べると十分に小さく形成されており、中央紙片３０裏面の粘着材の残りの部分は、十分な粘着面積を確保できるようになっている。速達扱指定片４０も同様である。
これにより、配送物貼付シール部２０は、配送途中等に、配送物７０から剥離することが抑制できる。
【００３２】
図４ａに示すように、取扱店控１０は、剥離基材２の剥離処理面が表出した状態で取扱店に残される。
取扱店控１０には、マーク４４ａの半分が存在するので、取扱店は、マーク４４ａを確認すれば、配送物７０を配達担当者に受け渡した後でも、配送種別が「速達」で配送されたことを確認できる。また、２種類のマークガイド４４（「Ａ４  ２３０」、「Ｂ４  ３５０」）のうち「Ａ４  ２３０」が選択されているので、取扱店は、配送種別をより詳細に分類して確認できる。
取扱店では、ファイル孔１０ａでファイルし、前述のお客の問い合わせに備える。
【００３３】
図５を参照して、第１実施形態の配送物７０に速達メール便扱いの配送物貼付シール部２０が貼付された配送用シール１の使用方法の一例について説明する。
配送物７０には、配送物７０の受取人の住所氏名と、依頼主の住所、氏名などが記載された配送伝票７１と、配送物貼付シール部２０が、取扱店の担当によって貼付される。
なお、これら住所、氏名などを配送物７０に直接記載する場合には、配送伝票７１は、不要である。
また、配送伝票７１と配送物貼付シール部２０は互いに重ならないように配送物７０に貼付される。
配送物取扱店の担当は、中央紙片３０には管理コード６３を、配送物取扱店のポスレジスター等に入力する。これにより、管理番号と、配送物取扱店を識別する店番号等とが関連付けられることになる。
【００３４】
配送物７０は、取扱店から配達担当者が受け取ると、速達扱指定片４０が貼付され、マークガイド４４のマーク４４ａが速達扱いとされるため、速達便集積場に送られる。
配送担当者は、配送物７０を配送伝票７１に記載された受取人に届ける。
メール便システムでは受取人から受領印を貰わないため、受取人のポストに投函する前に、配送物７０に貼付された配送物貼付シール部２０の光学読取用の管理コード６３を専用端末で読取り、配達が完了したことを専用端末に記憶させる。
光学読取用の管理コード６３はＯＣＲコードでも、二次元コードでも、バーコードでもよい。
【００３５】
専用端末に記憶させた管理番号は、お客からの問い合わせに使用されるため、問い合わせ先センターや取扱店に送信される。
なお、２種類の配送種別のいずれが選択されても、配送物貼付シール部２０の中央紙片３０は、配送物７０に貼付された状態では、同一の管理コード６３が表出する。このため、配送物貼付シール部２０と、取扱店控１０及び客控５とは、同一の番号で関連付けることができ、従来と同様なトレーサビリティ（追跡可能性）等を有する。
【００３６】
また、上記例とは異なり、取扱店控１０の紙片をお客様控えにして、かつ、分離片の紙片を取扱店控にしてもよい。これらの紙片は、配送担当者には回収されず、配送元（つまり、取扱店及び依頼主）に残る。このため、これらの紙片を、取扱店及び依頼主のどちらの控えにするかは、使用態様に応じて適宜設定できるからである。
【００３７】
以上説明したように、本実施形態の配送用シールは、速達、通常何れかの取扱種別を選択して使用することが可能な配送用シールであって、配送用シールは剥離基材２と剥離処理面に粘着剤層を介して貼り合わされた取扱店控とお客様控からなる紙基材で構成され、取扱店控には、紙基材を貫通する長方形状の閉じた切込みによって配送物貼付シール部が形成され、配送物貼付シール部は、通常扱指定片、中央紙片、速達扱指定片が配送物貼付シール部の短辺に平行な二つの折り畳み予定部を介して連接した状態で形成され、配送物貼付シール部の両短辺の切込みを挟んだ速達扱指定片と配送物貼付シール部の外側取扱店控部、および、通常扱指定片と配送物貼付シール部の外側取扱店控部にそれぞれ速達、通常の取扱種別文字が印刷され、さらに切込みを跨ぐように配送物情報表示文字及び当該配送物情報表示文字を囲むマークガイドが印刷されていることによって、従来宅配などで使用されるメール便で配送のためのシールを通常メール便用と、速達メール便用とを別々に用意し使い分けする必要があったものを、一つの配送用シールにまとめることができ、取り違えて使用されることがない。また、在庫管理も容易になり、結果としてコストダウンを計ることもできる。
【００３８】
また、速達、通常何れかの取扱種別を選択し、マークガイドに沿ってマークを記載し、配送物貼付シール部を取扱店控から剥ぎ取り、速達扱指定片および通常扱指定片の内、マークが記載されていない紙片を折り畳み予定部で粘着剤が形成された側に折り畳み、選択した取扱種別の紙片と中央紙片が表出するように粘着剤面で配送物に貼付し、取扱店控とお客様控を切り離し、お客様控を客に渡し、取扱店控を店に残すことによって、マークが記載されていない紙片は切り離されて塵になることがなく、配送物取扱作業場が清潔に保たれ、配送物には選択された取扱種別だけが表示されるために、配達員は間違って料金を収集することもなく、また、高能率に作業を行なう事ができるようになった。
【００３９】
（第２実施形態）
次に、本発明の第２実施形態について説明する。
なお、以下の説明及び図面において、前述した第１実施形態と同様の機能を果たす部分には、末尾（下２桁）に同一の符号を付して、重複する説明を適宜省略する。
本実施形態で説明するメール便では手紙、はがき、請求書、納品書等の信書、運賃の範囲内で賠償できないもの、有価証券類、カード類、その他の配送物に損害を及ぼす毒物、動植物等は取扱の対象とされていない。
【００４０】
本実施形態の配送用シール２０１は、図示しないが剥離基材の剥離処理面上に粘着剤層を介して紙基材が貼り合わされた積層体からなっており、紙基材表出面に表示された取扱種別表示及び配送情報を選択してマークすることによって速達、通常何れにも使用することが可能な配送用シールである。
【００４１】
図６を参照して、本発明の配送用シール２０１の第２実施形態について説明する。
第２実施形態の配送用シール２０１は、主に以下の点を、第１実施形態から変更した。
・客控２１０として、第１実施形態の取扱店控１０（図１参照）を用いた。このため、客控５（図１参照）を削除して、配送用シール２０１の全体の形状を小型にし、コストダウンした。また、配送用シール２０１では、取扱店控は、設けられていない。
・お客様問合せ番号２６２として、管理コード６２（図１参照）を用いた。また、お客様問合せ番号２６２が印刷された部分である問い合わせ情報片２６２ａは、分離線２６２ｂにより、分離可能にした。
【００４２】
以下、詳細に説明する。
配送用シール２０１には配送物に貼付される矩形状の貼付シール部２２０が前述の紙基材を貫通する貼付シール部周縁切込み２１１によって形成されている。
前述の紙基材と剥離処理面の間の粘着剤層は、極めて薄い層になっており、貼付シール部周縁切込み２１１は多くの場合、粘着剤層にまで及んでいる。
貼付シール部２２０には、主シール部２３０とその両脇の副シール部２４０，２５０に分断する二本の折り畳み予定部２４１，２５１が貼付シール部周縁切込み２１１の短辺（以下、貼付シール部２２０の短辺ともいう）に平行に形成されている。
折り畳み予定部２４１，２５１には、印刷により目安の線を印刷しても、筋押しを施しても、紙基材を貫通するミシン目状の切り込みを形成してもよい。
【００４３】
配送用シール２０１の紙基材表出面には「速達」、「速達サービス」などの取扱種別表示２４２，２５２、「Ａ４、Ｂ４」などの配送情報、「１２３−４５６７−８９０１」と印刷された問い合わせ情報、配送状況を管理する「バーコード」による管理コード２６３などが印刷されている。
取扱種別表示２４２，２５２は、貼付シール部２２０の副シール部２４０，２５０に表示されているが、貼付シール部２２０の外側の客控２１０となる両サイドにも文字による「通常サービス」、「速達サービス」などと取扱種別表示２４３，２５３が印刷によって表示されている。
取扱種別表示は、前述の表示方法ではなく印刷色、イラスト、文字＋印刷色＋イラスト、その他の識別可能な手段で表示することもできる。
以下、本実施形態の説明では取扱種別表示は文字表示の例で説明する。
【００４４】
図６に示す例では、貼付シール部２２０の両短辺の内側（右側の副シール部２４０）には、「速達」の取扱種別表示２４２が、貼付シール部２２０の短辺の外側には「速達サービス」の取扱種別表示２４３が印刷されている。
前述のように貼付シール部２２０の両短辺の切込みを挟んだ両側に表示されていれば判り易いのであるが、図の右側の副シール部２４０の「速達」の表示は省略し、副シール部２４０の外側の「速達サービス」だけを印刷しておくだけでもよい。
例えば、配送物を依頼した客は、貼付シール部２２０が剥がし取られた配送用シールが控として渡されるために配送情報表示部にマークの半分が残され、配送物を速達で送った証拠が残される。
剥がし取られた貼付シール部２２０には、右側の副シール部２４０，２５０にマークの半分が残されるため貼付シール部２２０が貼付された配送物は速達扱いであることが判る（配送担当が認識できればよいことである）。
【００４５】
貼付シール部２２０の短辺の切込みを跨ぐように配送情報及び当該配送情報を囲むマークガイド２４４，２５４が印刷されている。
前述の配送情報とは、「Ａ４、Ｂ４」などの配送物の大きさ情報、「１ｃｍ、２ｃｍ」など、配送物の厚さ情報、その他「２３０、３００」など料金情報を表示した文字、数字になっている。
以下本実施形態の説明では、配送物は、「速達」扱いの大きさが「Ａ４」の配送物の例で説明する。
【００４６】
主シール部２３０には管理コード２６３が機械読み取り可能な「バーコード」によって印刷されている。
また、貼付シール部２２０の外側の所定部（貼付シール部２２０の真上）には管理コードに紐付けされたお問い合せ番号２６２が印刷されている。
お問い合せ番号２６２は、数字、すなわち「番号」でも、記号入りアルファベット、記号入り数字、仮名入り数字、何れでもよい。
お問い合せ番号２６２は、問い合わせ情報片２６２ａに印刷されている。
問い合わせ情報片２６２ａは、切り込み線である分離線２６２ｂによって客控２１０と分離している。このため、問い合わせ情報片２６２ａは、客控２１０から分離して、剥離基材から剥離できる。
以下、本実施形態の説明では問い合わせ情報は、数字だけで構成された「問い合わせ番号」の例で説明する。
【００４７】
図７、図８を参照して、図６で説明した配送用シールの使用方法の一例について説明する。
最初に、配送物取扱店の担当（作業者）は、配送物２７０が信書ではないという署名を、依頼者に対して依頼する。依頼者は、了解すると、署名シート（図示しない）に署名する。
署名シートは、複写片になっており、署名の店舗控、署名の客控を備える。複数の配送物２７０を同時に依頼する場合でも、署名シートは、１枚でよい。
次に、配送物取扱店の担当（作業者）は、客の依頼を受け、図６で説明した配送用シール２０１の取扱種別「速達」に対応した配送情報「Ａ４  ２３０（Ａ４サイズで、配送料金が２３０円）」を選択し、配送情報を囲むマークガイド２４４に沿ってマーク２４４ａを付ける。
【００４８】
配送物取扱店の担当は、図７に示す配送用シール２０１から、貼付シール部周縁切込み２１１に沿って貼付シール部２２０を引き剥がす。図８ａは、配送用シール２０１から貼付シール部２２０が剥がされた後の配送用シール２０１を示し、剥がされた貼付シール部の跡に剥離基材２０２の剥離処理面２０２ａが露出している状態になっている。
図８ａに示す配送用シール２０１は、客控２１０として使用され、配送を依頼した客に渡される。同時に、署名シートの客控（図示せず）も、客に渡される。
客控２１０には、お問い合せ番号２６２が印刷され、取扱種別表示「速達サービス」と印刷された側に印刷されたマークガイド２４４に沿ってマーク２４４ａが付されている。
上記マーク２４４ａによって、この客控２１０は、速達で取り扱われた配送物２７０の配送控であることが判る。
【００４９】
なお、複数の配送物２７０を同時に依頼した場合には、複数の客控２１０が客に渡され、客控２１０の管理が煩雑になる可能性がある。この場合には、客は、複数の客控２１０から各問い合わせ情報片２６２ａを剥離して、署名シートの客控（控え片）等に貼付すれば、客控２１０を破棄等しても、問い合わせ番号２６２を確認できる。これにより、客は、署名シートの客控等のみを管理すればよいので、管理が容易になる。
【００５０】
一方、配送用シール２０１から引き剥がされた貼付シール部２２０は図８ｂに示す状態になっており、配送物取扱店の担当は、マーク２４４ａが付されていない側の折り畳み予定部２５１で副シール部２５０を粘着剤が形成された側に折り畳み、図８ｃに示す状態にし、粘着剤面で配送物２７０に貼付する。
【００５１】
配送物取扱店の担当は、主シール部２３０の管理コード２６３を、配送物取扱店のポスレジスター等の読み取り装置で読み取り、番号を入力する。
なお、配送物取扱店は、この入力番号によって、配送物２７０の各情報（配送物２７０の荷受の確認、配送状況等）を確認できる。このため、配送用シール２０１が配送物取扱店の控えを備えない形態でも、配送物取扱店は、配送物２７０の各情報を確認できる。
【００５２】
図９は、図８ｃの貼付シール部２２０が配送物２７０に貼付された状態を示している。
配送先情報が記載された配送物２７０は、貼付シール部２２０の副シール部２４０に付されたマーク２４４ａによって、「速達」で取り扱われた配送物であることが判る。
【００５３】
配送担当は、配送物２７０を届け先のポストに投函する直前に貼付シール部２２０の管理コード２６３を携帯端末によって読み取り、無線、または、有線によって配送物２７０の管理コード２６３を配送済みと登録する。
携帯端末に記憶させた管理番号は、お客からの問い合わせに使用されるため、問い合わせ先センターや取扱店に送信される。
【００５４】
配送物取扱店の担当は、図８ａに示す客控２１０を所持する客から配送物２７０の配送状況を問われたときに、客が電話で伝えてきた、または、取扱店に提示した問い合わせ番号「１１２３−４５６７−８９０１」で、問い合わせ番号に紐付けされた管理コードを検索し、管理コードが存在すれば問い合わせがあった配送物は配送済みとする。
【００５５】
以上説明したように、本実施形態の配送用シールは、本発明の配送用シールのように、剥離基材の剥離処理面上に粘着剤層を介して紙基材が貼り合わされた積層体からなり、前記紙基材表出面に表示された取扱種別表示及び配送情報を選択することによって速達、通常何れにも使用することが可能な配送用シールであって、前記紙基材には配送物に貼付される矩形状の貼付シール部が前記紙基材を貫通する貼付シール部周縁切込みによって形成され、前記貼付シール部には主シール部とその両脇の副シール部に分断する二本の折り畳み予定部が貼付シール部の短辺に平行に形成され、前記主シール部には機械読み取り可能な管理コードが、貼付シール部の外側の所定部には前記管理コードに紐付けされた問い合わせ情報が印刷され、貼付シール部周縁切込みの両短辺の内側及び外側の何れか、又は両方に取扱種別表示が印刷され、さらに、前記短辺を跨ぐように配送情報及び当該配送情報を囲むマークガイドが印刷され、貼付シール部が剥がされた配送用シールは客控となることによって、従来宅配などで使用されるメール便で、配送のためのシールを通常メール便用と、速達メール便用とを別々に用意し使い分けする必要があったものを、一つの配送用シールにまとめることができ、取り違えて使用されることがなくなる。また、在庫管理も容易になり、結果としてコストダウンを計ることができる。
【００５６】
また、本発明の配送用シールの使用方法のように、取扱種別に対応した配送情報を選択し、マークガイドに沿ってマークを付し、貼付シール部を配送用シールから剥がし取り、前記マークが付されていない側の折り畳み予定部で副シール部を粘着剤が形成された側に折り畳み、貼付シール部を粘着剤面で配送物に貼付し、貼付シール部が剥がされた配送用シールを客控として客に渡し、さらに、客から配送物の配送状況を問われたときに、客が提示した問い合わせ情報によって管理コードを検索し、配送担当が配送物を投函する直前に貼付シール部の管理コードを携帯端末によって読み取り登録した管理コードが存在すれば、問い合わせがあった配送物は配送済みとすることによって、マークが付されていない紙片は切り離されて塵になることがなく、配送物取扱作業場が清潔に保たれ、配送物には選択された取扱種別だけが表示されるために、配達員は間違って料金を収集することもない。
また、問い合わせ情報と管理コードが紐付けされており、配送物配送直後に管理コードを登録することによって配送物の配送状況を掌握することができる。
【００５７】
なお、各問い合わせ情報片２６２ａを剥離して、署名シートの控え片等に貼付する構成は、第１実施形態に適用してもよい。この場合には、取扱店が、署名シートの取扱店控え片等に貼付することにより、複数の配送物を容易に管理できる。
【００５８】
（第３実施形態）
次に、本発明の第３実施形態について説明する。
図１０は、第３実施形態の配送用シール３０１を示す図である。
図１０（ａ）は、全体図である。
図１０（ｂ）は、折り畳み予定部３４１を説明する拡大図である。
配送用シール３０１は、折り畳み予定部３４１，３５１の構成を、第２実施形態から変更した。
【００５９】
図１０（ｂ）に示すように、配送用シール３０１は、「速達」に関する構成が配置されている右側の領域に、３つの耳部３４５（第１耳部）を備える。耳部３４５は、主シール部３３０の一部が、３つの切り込み線３４５ａによって、折り畳み予定部３４１よりも右外側に突出するように設けられた部分である。２つは、貼付シール部３２０の上下端部に配置されており、残りの１つは、これらの中間に配置されている。
折り畳み予定部３４１は、２つのミシン目３４１ａによって構成されている。ミシン目３４１ａ、切り込み線３４５ａは、交互に配置され、連続している。
同様に、「通常」に関する構成が配置されている左側の領域には、耳部３５５が、耳部３４５とは左右対称に配置されている。
【００６０】
図１１は、第３実施形態の配送用シール３０１の使用方法を説明する図である。
図１１（ａ）は、副シール部３５０を折り込む状態を説明する図である。
図１１（ｂ）は、貼付シール部３２０を配送物３７０に貼付した状態を説明する図である。
図１１（ａ）に示すように、取扱店の担当者が、第２実施形態と同様に、副シール部３５０を折り込む。そうすると、３つの耳部３５５は、折り込まれずに、折り畳み予定部３５１よりも、左外側に突出した状態になる。耳部３５５には、ミシン目が設けられていなためである。
図１１（ｂ）に示すように、このため、取扱店の担当者が、貼付シール部３２０を配送物３７０に貼付すると、３つの耳部３５５の裏面の粘着材は、配送物３７０に接着する。
【００６１】
ここで、副シール部３５０を折り込まれると、粘着材が覆われてしまうので、主シール部３３０裏面のうち、副シール部３５０に覆われた領域（図１１（ｂ）に二点鎖線で示す領域）は、配送物３７０に接着しないことになる。この場合でも、耳部３５５の裏面の粘着材が配送物３７０に接着するので、貼付シール部３２０は、耳部３５５がある領域である左コーナ部及び左辺中央部が、配送物３７０に確実に保持される。
【００６２】
これにより、貼付シール部３２０は、例えば、配送時等において、配送物３７０からの脱落が抑制できるし、また、他の配送物の挟み込み等を抑制できる。
なお、耳部３４５，３５５の形状、数は、これらに限定されない。例えば、耳部は、左右２つずつにしてもよいし、形状を大きくして接着面積を大きくしてもよい。
【００６３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６４】
（変形形態）
（１）本実施形態において、配送種別は、通常、速達である例を示したが、これに限定されない。例えば、チルド等の識別等に利用してもよい。また、２つに限定されず、３つ以上の種別を識別してもよい。この場合には、例えば第２実施形態では、主シール部２３０の両脇に加え、上下にも副シール部の構成を設ければよい。
【００６５】
（２）本実施形態において、識別シールは、配送物の種別の識別のために用いる例を示したが、これに限定されない。識別シールは、他の被着体の識別に用いてもよい。例えば、病院等において、複数の看者（被着体）の容態を識別したり、工場等において、複数の製品（被着体）の品質を識別するために用いてもよい。
【符号の説明】
【００６６】
（１）
１  配送用シール
２  剥離基材
５  客控
１０  取扱店控
２０  配送物貼付シール部
３０  中央紙片
４０  速達扱指定片
４１，５１  折り畳み予定部
４２，４３，５２，５３  取扱種別文字
４４，５４  マークガイド
５０  通常扱指定片
６１  お問い合せ番号
６２  管理コード
６３  管理コード
７０  配送物
【００６７】
（２），（３）
２０１，３０１  配送用シール
２０２  剥離基材
２１０，３１０  客控
２１１，３１１  貼付シール部周縁切込み
２２０，３２０  貼付シール部
２３０，３３０  主シール部
２４０，２５０，３４０，３５０  副シール部
２４１，２５１，３４１，３５１  折り畳み予定部
２４２，２４３，２５２，２５３，３４２，３４３，３５２，３５３  取扱種別表示
２４４，２５４，３４４，３５４  マークガイド
２６２，３６２  お客様問合せ番号
２６２ａ，３６２ａ  問い合わせ情報片
２６２ｂ，３６２ｂ  分離線
２６３，３６３  管理コード
２７０，３７０  配送物
３４１ａ  ミシン目
３４５，３５５  耳部
３４５ａ  切り込み線
【図１】
0006048121.tif 000002
【図２】
0006048121.tif 000003
【図３】
0006048121.tif 000004
【図４】
0006048121.tif 000005
【図５】
0006048121.tif 000006
【図６】
0006048121.tif 000007
【図７】
0006048121.tif 000008
【図８】
0006048121.tif 000009
【図９】
0006048121.tif 000010
【図１０】
0006048121.tif 000011
【図１１】
0006048121.tif 000012